(57)【要約】【課題】複数のＬＥＤ発光素子の光をあたかも連続した直線または曲線のように表示する光拡散板を備えた表示装置において、屋外設置における太陽光の入射による光の散乱を軽減し、光拡散板周辺のコントラストの向上を図ることができる光拡散板を提供することを目的とする。【解決手段】上記目的を達成するために、光拡散板２０は略コノ字型の形状であり、切断面となる端部２２を、例えば黒色系の遮光色で塗装することにより、太陽光などの外光は入射後、端部２２において、吸収されてしまうため、端部２２において散乱することを軽減させることができる。【選択図】図１
2006251623.tif 000002
【特許請求の範囲】
【請求項１】
ＬＥＤ発光素子からの光を拡散する光拡散板であって、前記光拡散板の端部が遮光色であることを特徴とする光拡散板。
【請求項２】
ＬＥＤ発光素子からの光を拡散する光拡散板であって、前記光拡散板の端部に遮光板を張り合わせたことを特徴とする光拡散板。
【請求項３】
請求項１または２のいずれかに記載の光拡散板を備えたことを特徴とする表示装置。
【発明の詳細な説明】
【技術分野】
【０００１】
本発明は、ＬＥＤ発光素子からの光を拡散させる光拡散板及びそれを用いた表示装置に関する。
【背景技術】
【０００２】
従来から、複数のＬＥＤ発光素子をマトリクス状に配設し、個々のＬＥＤ発光素子の点滅により文字や図形の表示を行なう表示装置がある。
【０００３】
また、近年では、表示部周辺を囲むように複数のＬＥＤ発光素子を一列に配設させ、その上部に拡散板を配設することにより人の注意を引くようにした表示装置が出てきた。
【０００４】
図３はこのような表示装置を示したものであり、表示装置１は、複数のＬＥＤ発光素子をマトリクス状に配列し、文字や図形の表示を行なう表示部３と、表示部３の周辺に飾り部２が配設され、飾り部２の構成は、図４の斜視図に示されるような表面が凹凸状で透明な光拡散板５を、図５（ａ）の断面図に示されるように、基板１２上に所望の間隔で実装された複数のＬＥＤ発光素子１０の上面に配設したものである。
【０００５】
以上の構成により、ＬＥＤの個数が少なくてもＬＥＤ発光素子１０からの点発光の光が、拡散効果により直線状の光として見えるというものである（例えば、特許文献１）。
【特許文献１】特開２００３−２８０５３４号公報
【発明の開示】
【発明が解決しようとする課題】
【０００６】
しかしながら、上述した従来の光拡散板５では、図５（ｂ）の断面図(図５（ａ）の矢印Ａ方向から見た断面図)に示されるように、昼間の太陽光などの外光１５が入射し光拡散板５の端部において、散乱するため、光拡散板５の周辺が白くぼやけコントラストが悪くなるとともに、ＬＥＤ発光素子１０からの光も端部から散乱するため、飾り部２に近接する表示部３が見づらくなるという課題がある。
【０００７】
本発明は、前記課題に鑑み、光拡散板の端部から散乱する光を軽減させることができる光拡散板を提供することを目的とする。
【０００８】
また、上記光拡散板を飾り部に用いることにより、飾り部に近接する表示内容の視認性の向上を図ることを可能にした表示装置を提供することを目的とする。
【課題を解決するための手段】
【０００９】
前記目的を達成するために、請求項１記載の発明は、ＬＥＤ発光素子からの光を拡散する光拡散板であって、前記光拡散板の端部が、遮光色である光拡散板である。
【００１０】
係る構成によれば、太陽光などの外光が入射したとしても端部において、光が吸収されるため、拡散板周辺に光が散乱することを防ぐことができる。
【００１１】
また、請求項２記載の発明は、ＬＥＤ発光素子からの光を拡散する光拡散板であって、前記光拡散板の端部に遮光板を張り合わせた光拡散板である。
【００１２】
係る構成によれば、請求項１記載の発明と同様の作用を有するとともに、遮光板を所望の寸法とすることにより光拡散板周辺の散乱した光を吸収し、コントラストの向上を図ることができる。
【００１３】
また、請求項３記載の発明は、請求項１または２のいずれかに記載の光拡散板を備えた表示装置である。
【００１４】
係る構成によれば、外光による光の散乱が無いため、飾り部に近接する表示部の表示内容が見やすくなる。
【発明の効果】
【００１５】
本発明の請求項１記載の光拡散板によれば、光拡散板の端部を遮光色に塗装することにより、光拡散板内に入射した外光が端部で散乱することを軽減させることができる。
【００１６】
また、請求項２記載の光拡散板によれば、光拡散板の端部と遮光板と張り合わせることにより、光拡散板内に入射した外光が端部で散乱することを軽減させることができるとともに、光拡散板周辺の散乱した光を吸収し、コントラストの向上を図ることができる。
【００１７】
また、請求項３記載の表示装置によれば、外光や光拡散板の内部に配設されたＬＥＤ発光素子による光の散乱が無いため飾り部のコントラストが向上し、飾り部に近接する表示部の表示内容も見やすくなる。
【発明を実施するための最良の形態】
【００１８】
以下本発明の実施の形態について、図面を参照しながら説明する。
【００１９】
なお、図面を説明するにあたり従来と同一構成には同一符号を付し説明を省略する。
【００２０】
（実施の形態１）
図１は、本発明の第１の実施形態を示す光拡散板の断面図であり、光拡散板２０は略コノ字型の形状であり、切断面となる端部２２を、例えば黒色系の遮光色で塗装したものである。
【００２１】
係る構成によれば、太陽光などの外光は入射後、光拡散板の内部を迷行するが、端部２２において、吸収されてしまうため、端部２２において散乱することを軽減させることができる。
【００２２】
また、光拡散板２０の内部に配設されたＬＥＤ発光素子からの光においても同様に端部から散乱することを軽減させることができる。
【００２３】
以上述べた構成により良好な効果を得ることはできるが、好ましくは、塗装を端部２２の切断面だけでなく、少し側部にかかる程度にまで塗装したほうが良く、これにより更に遮光の効果を高めることができる。
【００２４】
なお、上記構成に限らず、端部を遮光色の樹脂で成形することにより形成しても良く、同様の効果を得ることができる。
【００２５】
また、拡散板２０を表示装置の飾り部に用いることにより、外光や光拡散板の内部に配設されたＬＥＤ発光素子による光の散乱が無いため飾り部のコントラストが向上し、飾り部に近接する表示部の表示内容も見やすくなる。
【００２６】
（実施の形態２）
図２は、本発明の第２の実施形態を示す表示装置の要部断面図であり、光拡散板３０は略コノ字型の形状であり、端部に遮光板３２を張り合わせたものである。
【００２７】
係る構成によれば、太陽光などの外光は入射後、光拡散板３０の内部を迷行するが、端部（図示せず）から発せられた光は、遮光板３２に吸収されてしまうため、端部において散乱することを軽減させることができるとともに、光拡散板３０周辺の散乱する光も吸収されるため、飾り部のコントラストを向上させることができる。
【産業上の利用可能性】
【００２８】
以上のように、本発明は、外光の影響を受け易い場所に設置される表示装置等に使用される光拡散板のコントラストの向上を図る上で有用な技術である。
【図面の簡単な説明】
【００２９】
【図１】本発明の第１の実施形態である光拡散板の断面図
【図２】本発明の第２の実施形態である表示装置の要部断面図
【図３】従来の表示装置の外観図
【図４】従来の光拡散板の斜視図
【図５】（ａ）は従来の表示装置の飾り部の要部断面図、（ｂ）は（ａ）の矢印Ａ方向から見た要部断面図
【符号の説明】
【００３０】
１  表示装置
２  飾り部
３  表示部
【図１】
2006251623.tif 000003
【図２】
2006251623.tif 000004
【図３】
2006251623.tif 000005
【図４】
2006251623.tif 000006
【図５】
2006251623.tif 000007